(57)【要約】【課題】第三者が顧客の動作を観察したりカメラで記録しても、容易に口座番号や暗証番号などを知ることが出来ず、顧客のキャッシュカードが悪用されることがない自動取引装置を提供することを目的とする。【解決手段】取引の誘導画面を、第１視野角方向から視認することができる画像と、第２視野角方向から視認することが出来る画像を任意に切り替えて表示したり、或いは一つの誘導画面を第１視野各方向の画面と第２視野各方向の画面とに分割して表示するようにした。【選択図】  図１（ａ）
2007188153.tif 000002
【特許請求の範囲】
【請求項１】
取引誘導画面を表示する表示部を具備した自動取引装置において、
前記表示部は第１視野角方向から視認することができる画像と、前記第１視野角方向と異なる第２視野角方向から視認することができる画像とを表示し、前記第１視野角方向の画像と前記第２視野角方向の画像を切り替えて取引の誘導を行うことを特徴とする自動取引装置。
【請求項２】
請求項１の自動取引装置において、
前記表示部上に入力手段を配し、暗証番号の入力を誘導する画面は、１桁毎または複数桁毎に前記第１視野角方向の画像と前記第２視野角方向の画像を切り替えることを特徴とする自動取引装置。
【請求項３】
請求項２の自動取引装置において、
前記第１視野角方向の画像における入力キーと前記第２視野角方向の画像における入力キーの配置を異なるようにしたことを特徴とする自動取引装置。
【請求項４】
請求項１の自動取引装置において、
前記第１視野角方向の画像と前記第２視野角方向の画像の切り替え入力手段を設け、前記切り替え入力手段の入力結果に基づいて、前記第１視野角方向の画像と前記第２視野角方向の画像の切り替えを行なうことを特徴とする自動取引装置。
【請求項５】
請求項１の自動取引装置において、
前記表示部上に入力手段を配し、暗証番号の入力を誘導する画面は、前記第１視野角方向の画像におけるテンキーと前記第２視野角方向の画像におけるテンキーは同一位置に配置し、テンキーに示される数字の配列のみ異なるようにしたことを特徴とする自動取引装置。
【請求項６】
請求項１の自動取引装置において、
取引の誘導を前記第１視野角方向の画像で行う場合、前記第２視野角方向の画像には前記第１視野角方向の画面で案内をしている旨を表示し、取引の誘導を前記第２視野角方向の画像で行う場合、前記第１視野角方向の画像には前記第２視野角方向の画面で案内をしている旨を表示することを特徴とする自動取引装置。
【請求項７】
取引誘導画面を表示する表示部を具備した自動取引装置において、
前記表示部は第１視野角方向から視認することができる画像と、前記第１視野角方向と異なる第２視野角方向から視認することができる画像とを同時表示し、取引の誘導画面を前記第１視野角方向の画像と前記第２視野角方向の画像の２画面に分割して行うことを特徴とする自動取引装置。
【請求項８】
請求項７の自動取引装置において、
振込先を指定する取引誘導画面は、少なくとも振込先金融機関名と振込先口座番号を２画面に分割して誘導することを特徴とする自動取引装置。
【発明の詳細な説明】
【技術分野】
【０００１】
本発明は、金融機関の店舗やコンビニエンスストア等に設置され、暗証番号入力や金額入力等の取引操作を誘導する画面の表示制御を行う自動取引装置に関する。
【背景技術】
【０００２】
近年、銀行等の金融機関の店舗やコンビニエンスストア等に設置されている自動取引装置は、キャッシュカードを使用して顧客が操作を行うことで即時に決済を行うことができるようになっている。
【０００３】
図１２は従来の自動取引装置の斜視図である。なお、この場合、情報端末について説明する。図において、１１はカタログ情報に従って商品を購入するための情報端末、１２はタッチパネル付きのディスプレイを備えたモニタであり、該モニタ１２は前記ディスプレイにカタログ情報等の画面が階層的に表示される。また、１３は図示されないキャッシュカードを挿脱し、かつ、キャッシュカードに対する情報の読取り及び書込みを行うためのカード読取書込部、１４は図示されないレシートに対する印刷、及びレシートの排出を行うレシートプリント出力部である。
【０００４】
前記構成の情報端末１１においては、操作者としての顧客が、各画面においてタッチパネルをタッチして項目を選択し、購入したい商品を指定すると、購入者氏名・送付先誘導画面が表示される。続いて、顧客は、前記購入者氏名・送付先誘導画面においてタッチパネルをタッチし、購入者の氏名、送付先等を入力する。次に、顧客は、キャッシュカードをカード読取書込部１３に挿入し、暗証入力画面、支払金額入力画面等において暗証番号及び支払金額を入力すると、例えば、ＩＳＤＮ回線を介して決済センタのホストコンピュータによって暗証番号の照合が行われ、暗証番号が正しい場合、顧客の原簿が更新され、残高から支払金額、手数料及び配送料が差し引かれる。
【０００５】
このようにして、決済が終了すると、前記ホストコンピュータから前記情報端末１１に取引内容の下りデータが送信される。前記情報端末１１は下りデータを受信すると、該下りデータの一部を編集して、レシートプリント出力部１４からレシートを排出する。そして、顧客がレシートを受け取ると、取引が終了する。
【０００６】
しかしながら、前記従来の情報端末１１において、第三者が、何らかの方法で顧客のキャッシュカードを得ることができた場合、例えば、情報端末１１の画面表示と顧客の動作を観察することによって、顧客の指の動きに基づいて暗証番号を知ることができると、前記キャッシュカードが悪用されてしまう。
【０００７】
そこで、図１３に示すように、暗証入力画面に表示されるテンキーの各数字キー及び他のキー上において、数字キー自体に対する暗証番号入力用の数字の寸法を他のキー自体に対する文字の寸法より小さくしたり、或いは各数字キーの位置をランダムに変更することにより、画面表示と顧客の指の動きから暗証番号を知られることを防止する技術が有効である。
【０００８】
なお、この出願の発明に関連する先行技術文献情報としては、例えば、特許文献１が知られている。
【特許文献１】特開２０００−９９８０１号公報
【発明の開示】
【発明が解決しようとする課題】
【０００９】
しかしながら、前記従来の自動取引装置において、自動取引装置の近傍にカメラを設けて、前記キャッシュカードの表面に記載されている情報や顧客の動作を記録することで、口座番号や暗証番号を知ることが出来ると前記キャッシュカードが悪用されるおそれがあった。
【００１０】
本発明は、上記の問題点に鑑み、前記従来の自動取引装置の問題点を解決して、第三者が、顧客の動作を観察しても暗証番号を知ることが出来ず、また、カメラで記録しても容易に口座番号や暗証番号などを知ることが出来ず、顧客のキャッシュカードが悪用されることがない自動取引装置を提供することを目的とする。
【課題を解決するための手段】
【００１１】
上記目的を達成するため本発明は、取引誘導画面を表示する表示部を具備した自動取引装置において、前記表示部は第１視野角方向から視認することができる画像と、前記第１視野角方向と異なる第２視野角方向から視認することができる画像とを表示し、取引の誘導を前記第１視野角方向の画像と前記第２視野角方向の画像を切り替えて行うことを特徴とする。
【発明の効果】
【００１２】
本発明によれば、取引の誘導画面を、第１視野角方向から視認することができる画像と、第２視野角方向から視認することが出来る画像を任意に切り替えて表示したり、或いは一つの誘導画面を第１視野各方向の画面と第２視野各方向の画面とに分割して表示するようにしたので、例えば悪意を持った第三者が顧客の後方で一連の顧客の動作および取引誘導画面を観察したり、カメラを設けて顧客の動作を記録したりしても、これら顧客の動作や画面から暗証番号などを知られることを防止できる。
【発明を実施するための最良の形態】
【００１３】
以下に、本発明の実施の形態を図面に従って説明する。
【実施例１】
【００１４】
まず、第１の実施例の構成について説明する。
図３は第１の実施例における自動入出金取引装置（以後、ＡＴＭとする）の制御ブロック図であり、図４はそのＡＴＭの外観を示す斜視図である。
【００１５】
図において、３１はＡＴＭであり、３２はカード処理部であって、金融機関が発行し、金融機関毎のコードや顧客の口座番号，氏名等の顧客情報が記憶された顧客識別カード（以後、金融カードとする）や振込先機関のコード等の振込情報が記録されている振込専用カード（以後、振込カードとする）から記憶されている前記情報を読み出す機能を有する。このカード処理部３２の前面側に接続されたカード挿入返却口３２ａにより、金融カードや振込カードが挿入されたり返却が行なわれる。
【００１６】
３６は通帳処理部であり通帳挿入返却口３６ａより挿入される通帳に印字処理など行なうもので、更に図示しない機構により記憶情報の読取りや更新手段、印字頁行の検出手段及び改頁手段等を有している。３８は明細票処理部であり取引明細の印字を行ない後述する手順により顧客に発行される明細票の発行処理を行なうものである。
【００１７】
４０は紙幣入出金部であり、顧客により入金される紙幣を真偽鑑別，計数し、搬送して図示しない金種別保管金庫に収納し、または顧客に支払われる紙幣を金種別保管金庫より繰り出すものである。
４１は硬貨入出金部であり、顧客により入金される硬貨を真偽鑑別，計数し、搬送して図示しない金種別保管金庫に収納し、または顧客に支払われる硬貨を金種別保管金庫より繰り出すものである。
【００１８】
これらの紙幣入出金部４０と硬貨入出金部４１には顧客が紙幣と硬貨（以後、貨幣とする）を挿入または顧客に貨幣を支払うための接客口４２が結合されている。なお、接客口４２は図示しない駆動手段によってシャッタ４２ａが動作して貨幣の挿脱を規制している。  
【００１９】
４３は表示入力部であり、顧客による取引入力するための取引誘導表示を行ったり、操作入力するタッチパネルであり、ペン入力も可能に構成されている。
表示入力部４３における表示例を図５に示す。表示入力部４３は第１視野角方向から視認することができる画像（ｂ）と、前記第１視野角方向と異なる第２視野角方向から視認することができる画像（ｃ）とを同時表示可能となっている。顧客は表示入力部４３に対し、左若しくは右に視線を移動させることで表示された２つの画像を視認する。
【００２０】
４４は音声案内部であり顧客に前述取引誘導表示と共に音声で取引誘導するためのものである。
４５は各種の制御を行なうためのプログラムが記憶されたＲＡＭやＲＯＭまたは磁気ディスクなどで構成されたメモリ部で、４６は上位装置であるホストコンピュータとの接続口であるインターフェース部（以後、Ｉ／Ｆ部とする）である。
【００２１】
４７は送受信器（ハンドセット）でありＩ／Ｆ部４６を介してホストコンピュータと接続可能に構成され音声による入出力が可能になっている。
４８は以上の各部を制御する主制御部であり、図示しないが表示入力部４３でペン入力された文字の認識や漢字変換を行い画面表示など行なう制御機能も保有している。
また、４９は以上の各部に電力を供給する電源部である。
【００２２】
図６は振込人と受取人が同一の金融機関内に口座を有する状況下において、振込処理を行なう場合の接続形態を示す概念図である。図において、３１は前述の通りＡＴＭであり、Ｉ／Ｆ部４６よりホストコンピュータ５０と専用回線５１で接続されている。５２はホストコンピュータ５０に接続された記憶部であり、顧客の住所，氏名及び口座番号情報などを始めとし各種の情報が記憶されている。
【００２３】
次に図１（ａ）に示す表示入力部４３の表示例について説明すると、図１は取引開始時の取引選択画面の一例であり、取引科目である“お支払い”“お預入れ”または振込処理を開始するための“お振込み”などを表示していて、その表示入力部４３に軽く触れることで取引が選択されるようになっている。
【００２４】
続いて、上述した構成の作用について説明する。
尚、以下に説明する各部の動作は、メモリ部４５の図示しないメモリや磁気ディスク等の記憶手段に格納されたプログラム（ソフトウェア）に基づいて図示しない中央処理装置等の制御手段により制御される。
【００２５】
図２に示すフローチャートにより振込処理を説明する。まず、図１（ａ）に示したように表示入力部４３の取引選択画面より『お振込み』を選択すると（ＳＡ１）、画面上に『カードをお入れください』と表示される。この時の『カードをお入れください』表示は図１（ｂ）に示すように第１視野角方向の画面に表示される。第２視野角方向の画面には例えば『左側の画面で操作して下さい』と表示され、反対側の画面で操作を進めるように誘導が行われる。
【００２６】
振込人が金融カードをカード挿入返却口３２ａより挿入すると（ＳＡ２）、金融カードをカード処理部３２まで取込み、記憶されている情報を読み取りその情報を専用回線５１を介してホストコンピュータ５０に送信すると共に、表示入力部４３に『暗証番号を入力してください』と表示し、振込人毎に定められた暗証番号の入力を促す。
【００２７】
この時の表示は図１（ｃ）に示すように第１視野角方向の画面に表示される。第２視野角方向の画面には例えば『左側の画面で操作して下さい』と表示され、反対側の画面で操作を進めるように誘導が行われる。振込人が暗証番号を２桁入力すると（ＳＡ３）、図１（ｄ）に示すように第１視野角方向の画面には『右側の画面で操作して下さい』と表示される。  
【００２８】
この時の画面構成は図１（ｃ）とは画面内の表示位置を異にし、またテンキーの配置も異なるようにしている。振込人が暗証番号の３桁目、４桁目を入力すると（ＳＡ４）ホストコンピュータ５０に接続されている記憶部５２内の顧客・口座番号情報の検索が行なわれ、その情報との照合を行ない、不一致の場合には『暗証番号が違います、再度暗証番号を入力してください』と表示して再入力を要求する（ＳＡ５）。
【００２９】
この時の表示は図１（ｅ）に示すように第１視野角方向の画面に表示される。ここで所定回数再入力されても不一致となった場合（ＳＡ６）には金融カードをＡＴＭ内に取込みまたは返却し（ＳＡ７）、その旨を表示入力部４３に表示して処理を終了する。この取込みまたは返却された金融カードは係員対応により、処理されるが説明は省略する。暗証番号の一致が確認されたら、表示入力部４３に『振込カードを挿入してください』と表示して振込カードをカード挿入返却口３２ａより挿入させる。（ＳＡ８）
【００３０】
この時の表示は図１（ｆ）に示すように第２視野角方向の画面に表示される。挿入された振込カードをカード処理部３２まで取込み、記憶されている情報を読み取り、その情報を専用回線５１を介してホストコンピュータ５０に送信すると共に表示入力部４３に振込先の金融機関名や営業店名、更に受取人、振込金額等の各情報を図１（ｇ）に示すように表示させる（ＳＡ９）。この時表示において振込依頼人、受取人、受取人の口座番号は第１視野各方向に表示し、振込先金融機関名や営業店名、振込金額は第２視野各方向に表示する。
【００３１】
続けて、振込人の『預金口座』からの振込処理であるのか、『現金』による振込処理であるかを選択させる（ＳＡ１０）。現金で振込む場合には、接客口４２のシャッタ４２ａを開いて、貨幣の挿入を可能にして、振込用貨幣の挿入を促し（ＳＡ１１）、挿入された貨幣の取込み動作に移る（以後の貨幣処理説明は後述する）。
【００３２】
なお、口座からの振込処理としては振込人の預金口座から指示された金額を減じ、受取人口座を同額だけ加算するという処理が行われるが、実際に金銭を送付するのではなく、各顧客の元帳ファイル内の預貯金金額データを更新することであることは説明するまでもない（ＳＡ１２）。更に振込人の預金口座からは振込手数料が減額される場合がある。
【００３３】
続けて、カード処理部３２に保持されている金融カードと振込カードをカード挿入返却口３２ａより排出して振込人に返却し（ＳＡ２０）、明細票処理部３８で取引明細票として所定事項を印字すると共に、釣銭がある場合には一諸に接客口４２に排出して（ＳＡ２１）、ＡＴＭでの振込動作が終了する。
【００３４】
次に、振込金として現金が挿入された場合の取込動作について説明する。
接客口４２に振込用の現金が挿入されると（ＳＡ３０）、現金はＡＴＭに取り込まれ真偽鑑別と計数が行なわれ結果が金種毎に集計され、集計金額と振込額が表示入力部４３に表示されると共に（ＳＡ３１）、現金を図示しない一時保管部まで搬送する。振込人により表示金額と挿入金額及び振込額の照合が行なわれ「確認」ボタンが押下されて「問題なし」と判定されると（ＳＡ３２）、一時保管部の現金は図示しない金種別保管金庫に収納される（ＳＡ３３）。
【００３５】
なお、挿入現金が不足しているような場合には、追加挿入を要求するような画面表示が行なわれる。次に釣銭の有無が判断され（ＳＡ３４）、釣銭がある場合の釣銭処理が行なわれる（ＳＡ３５）。
【００３６】
なお、現金挿入での振込処理としては振込人が挿入した現金の計数し、受取人口座を同額だけ加算するという処理が行われるが、実際に金銭を送付するのではなく、受取人の元帳ファイル内の預貯金金額データを更新することであることは説明するまでもない（ＳＡ３６）。更に振込人は現金挿入の際、振込手数料が要求される場合がある。
【００３７】
続けて、カード処理部３２に保持されている金融カードと振込カードをカード挿入返却口３２ａより排出して振込人に返却し（ＳＡ２０）、明細票処理部３８で取引明細票として所定事項を印字すると共に、釣銭がある場合には一諸に接客口４２に排出して（ＳＡ２１）、ＡＴＭでの振込動作が終了する。
【００３８】
以上のように第１の実施例によれば、自動取引装置における表示入力部に、第１視野角方向から視認することができる画像と、第１視野角方向と異なる第２視野角方向から視認することができる画像を同時表示する表示手段を設け、この表示入力部において取引の誘導画面を、第１視野角方向から視認することができる画像と、第２視野角方向から視認することが出来る画像を任意に切り替えて表示することで、例えば悪意を持った第三者が顧客の後方で顧客の動作を観察しても、顧客の動作から暗証番号などを知ることは出来ない。
【００３９】
また、前記自動取引装置の近傍にカメラを設けて顧客の動作を記録しようとしても２つの表示の視野角が異なることから両方同時にカメラに記録することは出来ず、片方の画面の情報からでは口座番号や暗証番号を全て知ることが出来ないためキャッシュカードの悪用を防止出来、かつ優れて安全な自動取引装置の提供が可能となる。
【００４０】
或いは振込取引における振込先情報の表示においては振込先口座番号と振込先金融機関名を分割して表示することで片方の画面の情報を入手しても情報全てを入手したことにならず、悪用を防止することが出来る。
【００４１】
尚、第１の実施例では暗証番号入力を誘導する際、２桁毎に第１視野角方向での表示と第２視野角方向での表示を切り替えるように説明したが、１桁毎あるいは複数桁毎に画面の切り替えを行なってもよい。
【００４２】
また、取引を誘導する画面に対し、全て第１視野角方向での表示と第２視野角方向での表示を交互に行うように説明したが、これに限定されるものではなく、例えば暗証番号等の機密性の高い情報を入力する時のみにしてもよい。
【００４３】
また、１画面に表示すべき情報を左右に２分割して表示する例として振込先情報の表示を行う例を説明したが、これに限定されるものではなく、例えば暗証番号等の機密性の高い情報を表示する場合に適用してもよい。
【実施例２】
【００４４】
次に、第２の実施例について説明する。
尚、第２の実施例の構成は第１の実施例の構成と同様のため、同一の符号を付してその説明を省略する。
【００４５】
図７（ａ）は、取引開始時の取引選択画面の一例であり、取引科目である“お支払い”“お預入れ”または振込処理を開始するための“お振込み”などを表示していて、その表示入力部４３に軽く触れることで取引が選択されるようになっている。
【００４６】
さらに、“左側表示”や“右側表示”等のボタン（以後、画面表示選択ボタンとする）を表示していて、画面を左右どちら側に表示するかを選択できるようになっている。尚、この画面表示選択ボタンは、取引中の画面には常に表示されており、顧客が任意のタイミングで左右どちら側に表示するかを選択することが出来る。
また、“両側表示”ボタンを選択すると、左右どちら側からも誘導画面を見ることが出来る。
【００４７】
続いて、上述した構成の作用について説明する。
図８のフローチャートにより説明する。例えば、図２のフローチャートに示すような取引処理が行なわれた場合、図７（ａ）に示すように取引処理中は常に画面表示選択ボタンが表示されており（ＳＢ１）、“左側表示”を選択したならば図７（ｂ）に示すように取引誘導画面を左側のみに表示し、右側には誘導画面を表示しない（ＳＢ２）。
【００４８】
したがって、“左側表示”を選択した顧客は左側から見える画面を見て操作することになる。ここで、もし左側背後に人気を感じたならば顧客は“右側表示”ボタンを押下する（ＳＢ１）。すると画面は右側表示となり（ＳＢ４）、左側背後からは画面を覗き見ることが出来ない。
“両側表示”ボタンを押下すると（ＳＢ１）、誘導画面は左右両方に表示され、ＡＴＭの正面に立っても従来のような取引が可能となる。
【００４９】
以上のように、第２の実施例によれば、顧客は誘導画面を左右どちら側から表示させるかを取引処理中の任意のタイミングで選択できるので、背後に人気を感じた場合に人のいない側からの視野角表示へ切り替えることができ、例えば悪意を持った第三者が顧客の後方で顧客の動作を観察しても、顧客の動作から暗証番号などを知ることは出来ない。
【００５０】
また、第１の実施例では、例えば左側から誘導表示している場合に右側の表示に“左側の画面で操作してください”の旨を表示していたので、その表示を背後から見た第三者が左側に回り込んで覗く恐れがあったが、第２の実施例では、右側から見た者に対し、誘導画面が左側に表示されていることが認知されないため、悪意を持った者が左側に回り込んで覗く恐れがない。
【００５１】
また、第１の実施例では、顧客は各ステップの操作において視線を左右に移動させる必要があったが、第２の実施例によれば、画面選択ボタンを押下しない限り一方向からの視線に固定して操作できるので、そのような煩わしさもなくなる。
【００５２】
尚、第２の実施例では、選択されていない側の画面は何も表示しないようにしたが、代わりにコマーシャルや銀行等からのお知らせ等を表示させてもよい。
【実施例３】
【００５３】
次に、第３の実施例について説明する。
尚、第３の実施例の構成は第１の実施例の構成と同様のため、同一の符号を付してその説明を省略する。
【００５４】
図９は、取引開始時の取引選択画面の一例であり、取引科目である“お支払い”“お預入れ”または振込処理を開始するための“お振込み”などを表示していて、その表示入力部４３に軽く触れることで取引が選択されるようになっている。
【００５５】
さらに、 “左側表示”や“右側表示”のボタンを表示していて、画面を左右どちら側に表示するかを選択できるようになっている。尚、この画面表示選択ボタンは、取引開始後の最初のステップのみ表示されており、取引中の画面には表示されていない。顧客は取引開始時に左右どちら側に表示するかを選択することが出来る。
【００５６】
図１０は、暗証番号入力時の画面の一例である。この時の画面構成は左右とも全く同じテンキー配置となっているが、一方テンキーの内容（すなわち数字の配列）が異なるようになっている。
【００５７】
続いて、上述した構成の作用について説明する。
図１１のフローチャートにより説明する。例えば、図２のフローチャートに示すような取引処理が行なわれた場合、図１１に示すような取引開始時の取引選択画面において、画面表示選択ボタンが表示されている（ＳＣ１）。
【００５８】
取引処理が進み、暗証入力画面になると、ＳＣ１にて“左側表示”を選択したならば、図１０に示すように正規の数字配列を左側のみに表示し、右側には全く同じテンキー配置であるが、全く異なる数字配列を表示する。（ＳＣ２）。
【００５９】
したがって、“左側表示”を選択した顧客は、暗証番号入力時には、左側から見える画面を見て操作することになる。ここで、もし右側背後から画面を覗き見る者が存在したならば、その者にはあたかも暗証番号を入力しているかのように見えるが、それはダミーの数字配列のテンキーを押下している動作を見ているにすぎない。
【００６０】
例えば、図１０の例で正規の暗証番号が“１２３４”であったならば、顧客は左側画面を見て“１２３４”と入力する。すると、右側から見ている第三者には“８９２０”と入力されたかのように見える。
一方、最初に“右側表示”ボタンを押下したならば（ＳＣ１）、同様に暗証番号入力時は右側から見た画面のテンキーが正規の数字配列となり、左側から見た画面のテンキーの数字配列はダミーとなる（ＳＣ３）。
【００６１】
以上のように、第３の実施例によれば、顧客が希望した側の画面のテンキーのみ正規の数字配列となっているので、それとは異なる側の画面から悪意を持った第三者が顧客の後方で顧客の動作を観察しても、暗証番号は盗み取ることが出来ない。
尚、第３の実施例では、最初の取引選択時のみ画面表示選択ボタンを表示するようにしたが、第２の実施例のように常時画面選択できるようにしてもよいし、任意のタイミングで画面表示選択ボタンを表示するようにしてもよい。
【００６２】
以上第１〜第３の実施例について説明したが、本発明は、上記実施例に限らず種々の変形が可能である。例えば第１〜第３の実施例の組み合わせによるものでもよい。
また、これら第１〜第３の実施例では金融機関で使用される自動取引装置を一例としたが、これに制約されるものではなく鉄道などの券売機、空港での発券機など、操作者が入力するデータに機密性のある情報が含まれており、かつ公衆な地域に設置される装置は対象となり、本発明の絶大な効果が期待できる。
【図面の簡単な説明】
【００６３】
【図１（ａ）】第１の実施例におけるＡＴＭの取引選択画面を示す説明図
【図１（ｂ）】第１の実施例におけるＡＴＭのカード挿入指示画面を示す説明図
【図１（ｃ）】第１の実施例におけるＡＴＭの暗証入力画面を示す説明図
【図１（ｄ）】第１の実施例におけるＡＴＭの暗証入力画面を示す説明図
【図１（ｅ）】第１の実施例におけるＡＴＭの暗証再入力画面を示す説明図
【図１（ｆ）】第１の実施例におけるＡＴＭの振込カード挿入指示画面を示す説明図
【図１（ｇ）】第１の実施例におけるＡＴＭの振込情報表示画面を示す説明図
【図２】第１の実施例におけるフローチャート
【図３】第１の実施例におけるＡＴＭの制御ブロック図
【図４】第１の実施例におけるＡＴＭの外観を示す斜視図
【図５】第１の実施例におけるＡＴＭの取引選択画面を示す説明図
【図６】第１の実施例におけるＡＴＭの接続形態を示す概念図
【図７（ａ）】第２の実施例におけるＡＴＭの取引選択画面を示す説明図
【図７（ｂ）】第２の実施例におけるＡＴＭの取引選択画面を示す説明図
【図８】第２の実施例におけるフローチャート
【図９】第３の実施例におけるＡＴＭの取引選択画面を示す説明図
【図１０】第３の実施例におけるＡＴＭの暗証入力画面を示す説明図
【図１１】第３の実施例におけるフローチャート
【図１２】従来の自動取引装置を示す斜視図
【図１３】従来の暗証入力画面を示す説明図
【符号の説明】
【００６４】
１１  情報端末
１２  タッチパネル付きディスプレイ
１３  カード読み取り書き込み部
１４  レシートプリント出力部
３１  自動入出金取引装置
３２  カード処理部
３６  通帳処理部
４０  紙幣入出金部
４１  硬貨入出金部
４３  表示入力部
４５  メモリ部
４６  インターフェース部
４８  主制御部
５０  ホストコンピュータ
【図１（ａ）】
2007188153.tif 000003
【図１（ｂ）】
2007188153.tif 000004
【図１（ｃ）】
2007188153.tif 000005
【図１（ｄ）】
2007188153.tif 000006
【図１（ｅ）】
2007188153.tif 000007
【図１（ｆ）】
2007188153.tif 000008
【図１（ｇ）】
2007188153.tif 000009
【図２】
2007188153.tif 000010
【図３】
2007188153.tif 000011
【図４】
2007188153.tif 000012
【図５】
2007188153.tif 000013
【図６】
2007188153.tif 000014
【図７（ａ）】
2007188153.tif 000015
【図７（ｂ）】
2007188153.tif 000016
【図８】
2007188153.tif 000017
【図９】
2007188153.tif 000018
【図１０】
2007188153.tif 000019
【図１１】
2007188153.tif 000020
【図１２】
2007188153.tif 000021
【図１３】
2007188153.tif 000022